(57)【要約】【課題】左右の縦装飾部材の間の外壁をパネルで覆う場合に、覆うべき外壁の大きさに合わせて容易に対応することができるとともに、パネルの大きさを小さくすることができて、パネルを取り扱い易くすることができる外壁構造を提供する。【解決手段】外壁１に、２個のサッシ２、２が縦方向に間隔をおいて設けられ、これらのサッシ２、２の縦枠２１、２１および外壁１に、縦方向に直線状に延びる縦装飾部材４、４が取り付けられ、これらの左右の縦装飾部材４、４の間の外壁１に、パネル下８１、パネル中８２およびパネル上８３が組み立てられてなるパネル組立体３が前記外壁１を覆うように取り付けられている。【選択図】　　　図６
2004019293.tif 000002
【特許請求の範囲】
【請求項１】
外壁に、複数個のサッシが縦方向に間隔をおいて設けられ、前記サッシの縦枠および前記外壁に、縦方向に直線状に延びる縦装飾部材が取り付けられ、
これらの左右の縦装飾部材の間の前記外壁に、複数個のパネルが組み立てられてなるパネル組立体が該外壁を覆うように取り付けられていることを特徴とする外壁構造。
【請求項２】
前記パネル組立体は、各パネルに連結方向に間隔をおいて形成された少なくとも２つの突条部が係合されることにより各パネル同士が連結されていることを特徴とする請求項１に記載の外壁構造。
【請求項３】
前記パネル組立体は、下端が該パネル組立体の下側の前記サッシの上枠の上端近傍に位置するとともに、上端が該パネル組立体の上側の前記サッシの水切りの内側に位置するように設けられていることを特徴とする請求項１または請求項２に記載の外壁構造。
【請求項４】
前記パネル組立体は、左右の端部がそれぞれ、前記左右の各縦装飾部材の内側に位置するように設けられていることを特徴とする請求項１乃至請求項３のいずれかに記載の外壁構造。
【請求項５】
前記パネル組立体の上側の前記サッシの下枠に、少なくとも該下枠の下端部から前記パネル組立体の上端部を覆うパネル用上部横装飾部材が取り付けられているとともに、前記パネル組立体の下側の前記サッシの上枠に、少なくとも該上枠の上端部から前記パネル組立体の下端部を覆うパネル用下部横装飾部材が取り付けられていることを特徴とする請求項１乃至請求項４のいずれかに記載の外壁構造。
【請求項６】
前記パネル組立体の上側の前記サッシの上枠に、該上枠を覆う上部横装飾部材が取り付けられているとともに、前記パネル組立体の下側の前記サッシの下枠に、該下枠を覆う下部横装飾部材が取り付けられていることを特徴とする請求項１乃至請求項５のいずれかに記載の外壁構造。
【発明の詳細な説明】
【０００１】
【発明の属する技術分野】
本発明は、建物の外観の見栄えを良くする外壁構造に関する。
【０００２】
【従来の技術】
住宅等の建物の上下階のサッシの縦枠および外壁に、縦方向に直線状に延びる縦装飾部材を取り付けて、上下階のサッシが連続したような印象を与えることにより、建物の外観の見栄えを良くする外壁構造が従来から知られている。
さらに、これらの左右の縦装飾部材の間の外壁の部分を覆うパネルを設けて、さらに建物の外観の見栄えを良くする外壁構造も知られている。そして、従来、外壁に形成された枠体に、一枚板からなるパネルが取り付けられている。
【０００３】
【発明が解決しようとする課題】
しかしながら、このようなパネルが設けられた従来の外壁構造にあっては、覆う外壁の部分の面積に応じて、パネルを用意する必要があるという問題がある。
また、パネルが大きくなるので、パネルの型代が高くなるとともに、パネルの重量が重くなり、パネル体の取り扱いが大変であるという問題がある。
【０００４】
本発明は、上記事情に鑑みて為されたもので、左右の縦装飾部材の間の外壁をパネルで覆う場合に、覆うべき外壁の大きさに合わせて容易に対応することができるとともに、パネルの大きさを小さくすることができて、パネルを取り扱い易くすることができる外壁構造を提供することを目的とする。
【０００５】
【課題を解決するための手段】
上記目的を達成するために、請求項１に記載の外壁構造は、外壁に、複数個のサッシが縦方向に間隔をおいて設けられ、前記サッシの縦枠および前記外壁に、縦方向に直線状に延びる縦装飾部材が取り付けられ、これらの左右の縦装飾部材の間の前記外壁に、複数個のパネルが組み立てられてなるパネル組立体が該外壁を覆うように取り付けられていることを特徴とする。
【０００６】
請求項１に記載の発明においては、複数個のパネルを組み立ててパネル組立体を構成するので、これらのパネルの組み合わせを変えることにより、種々の大きさのパネル組立体を構成することができるため、覆うべき外壁１の大きさに合わせて容易に対応することができる。また、各パネルの大きさは小さいので、各パネルの重量が軽く、各パネルの取り扱いが容易である。また、押出し成形等による形材からなるパネルを用いる場合には、各パネルの型代を低額に抑えることができる。
【０００７】
請求項２に記載の外壁構造は、請求項１に記載の発明において、前記パネル組立体は、各パネルに連結方向に間隔をおいて形成された少なくとも２つの突条部が係合されることにより各パネル同士が連結されていることを特徴とする。
【０００８】
請求項１に記載の発明においては、各パネルに連結方向に間隔をおいて形成した少なくとも２つの突条部を係合させることにより各パネル同士を連結するようにしたので、各パネルの位置決めを容易に行うことができる。
【０００９】
請求項３に記載の外壁構造は、請求項１または請求項２に記載の発明において、前記パネル組立体は、下端が該パネル組立体の下側の前記サッシの上枠の上端近傍に位置するとともに、上端が該パネル組立体の上側の前記サッシの水切りの内側に位置するように設けられていることを特徴とする。
【００１０】
請求項３に記載の発明においては、上のサッシと下のサッシの間の殆どに亘ってパネル組立体が設けられるので、上下のサッシ間がすっきりした印象を与える。
【００１１】
請求項４に記載の外壁構造は、請求項１乃至請求項３のいずれかに記載の発明において、前記パネル組立体は、左右の端部がそれぞれ、前記左右の各縦装飾部材の内側に位置するように設けられていることを特徴とする。
【００１２】
請求項４に記載の発明においては、パネル組立体の両端部が左右の縦装飾部材によって隠れるので、左右の縦装飾部材に亘ってパネル組立体の延在する外観となる。その結果、左右の縦装飾部材およびパネル組立体による外観が際立つ。
【００１３】
請求項５に記載の外壁構造は、請求項１乃至請求項４のいずれかに記載の発明において、前記パネル組立体の上側の前記サッシの下枠に、少なくとも該下枠の下端部から前記パネル組立体の上端部を覆うパネル用上部横装飾部材が取り付けられているとともに、前記パネル組立体の下側の前記サッシの上枠に、少なくとも該上枠の上端部から前記パネル組立体の下端部を覆うパネル用下部横装飾部材が取り付けられていることを特徴とする。
【００１４】
請求項５に記載の発明においては、パネル組立体の上側のサッシの下枠とパネル組立体の上端部との間、およびパネル組立体の下側のサッシの上枠とパネル組立体の下端部との間の複雑な形状の部分がそれぞれ、パネル用上部横装飾部材およびパネル用下部横装飾部材により覆われるので、この部分の外観がすっきりとしたものとなる。
【００１５】
請求項６に記載の外壁構造は、請求項１乃至請求項５のいずれかに記載の発明において、前記パネル組立体の上側の前記サッシの上枠に、該上枠を覆う上部横装飾部材が取り付けられているとともに、前記パネル組立体の下側の前記サッシの下枠に、該下枠を覆う下部横装飾部材が取り付けられていることを特徴とする。
【００１６】
請求項６に記載の発明においては、左右の縦装飾部材の間に、横方向に延びる上部横装飾部材および下部横装飾部材が設けられるので、縦装飾部材と相まって際立った外観となる。
【００１７】
【発明の実施の形態】
以下、本発明の実施の形態を図面を参照して説明する。
図１は、本発明の実施の形態に係る外壁構造を示す正面図であり、図２は、図１のＡ−Ａ線に沿う拡大断面図であり、図３は、図１のＢ−Ｂ線に沿う拡大断面図であり、図４は、図１のＣ−Ｃ線に沿う拡大断面図であり、図５は、図１のＤ−Ｄ線に沿う拡大断面図であり、図６は、Ｅ−Ｅ線に沿う拡大断面図である。
【００１８】
本実施の形態に係る外壁構造においては、図１に示すように、建物の外壁１の上下方向に間隔をおいて、上下階の引違い窓のサッシ２、２が配設され、これらのサッシ２、２間の外壁１の部分にパネル組立体３が取り付けられている。サッシ２、２は、縦枠が縦方向に一列に並ぶように配置されている。サッシ２、２の左右の縦枠およびこれらの間の外壁には、直線状の縦装飾部材４、４がサッシ２、２の各縦枠上を縦方向に延びるように設けられている。各縦装飾部材４、４は、上の階のサッシ２の縦枠の上端部から下の階のサッシ２の縦枠の下端までを覆うように設けられている。
【００１９】
また、上の階のサッシ２の上枠および下の階のサッシ２の下枠にはそれぞれ、上部横装飾部材５Ａおよび下部横装飾部材５Ｂが取り付けられている。また、上の階のサッシ２の下枠および下の階のサッシ２の上枠にはそれぞれ、パネル用上部横装飾部材５Ｃおよびパネル用下部横装飾部材５Ｄが取り付けられている。これらの上部横装飾部材５Ａ、下部横装飾部材５Ｂおよびパネル用上部横装飾部材５Ｃ、パネル用下部横装飾部材５Ｄの両端はそれぞれ、左右の縦装飾部材４、４まで延びている。
【００２０】
縦装飾部材４は、図７に示すような上装飾部材１１と下装飾部材１２とからなるものである。これらの上装飾部材１１および下装飾部材１２はそれぞれ、押出し成形等により形成されたアルミニウム等の形材からなり、一側面の上端部にねじ孔１３が設けられている細長い装飾部材１４の一端および他端にそれぞれ、蓋体１５、１６が取り付けられて構成されている。縦装飾部材４は、図１に示すように、これらの上装飾部材１１と下装飾部材１２との突合せ部１９がパネル組立体３の上下方向中間部に位置するようにして、連続して一列に配置されてなるものである。左右の縦装飾部材４、４において、上装飾部材１１および下装飾部材１２は、ねじ孔１３がサッシ２、２の外側（面内方向と反対側）になるようにして、点対称の位置に配置されている。
【００２１】
そして、縦装飾部材４は、サッシ２、２の縦枠および外壁１に次のようにして設けられている。
すなわち、サッシ２の部分においては、図２および図３に示すように、サッシ２の縦枠２１上に、押出し成形等により形成されたアルミニウム等の形材からなる細長い受け部材（縦枠用取付部材）６が、縦枠２１に沿って取り付けられている。受け部材６は、底壁３１と、この底壁３１の幅方向の両端部から互いに対向して室外側に起立している起立壁３２、３３と、底壁３１から室内側に突出している脚部３４と複数個の脚部３５とを備えている。
【００２２】
起立壁３２は、サッシ２の面内側と反対側に形成され、起立壁３３は、サッシ２の面内側に形成されている。脚部３４は、サッシ２の面内方向と反対側の最外側に形成され、その長さが他の脚部３５の長さより少し長く設定されている。この受け部材６は、脚部３４の側面および脚部３５の先端が縦枠２１に当接され、底壁３１に形成されたねじ孔にねじ（固定具）９１が挿通されてねじ９１が縦枠２１に締め付けられている。受け部材６の起立壁３２および起立壁３３の上端部にはそれぞれ、受け部材６の幅方向外側に膨出されて互いの間隔（幅方向の距離）が拡大された拡張部３６および拡張部３７が形成されている。
【００２３】
拡張部３６の基端部の外側の段部３８の少し室内側の起立壁３２の位置には、サッシ２の面内方向と反対側に水平に帯板状に突出する係止部４１が形成されている。また、拡張部３７の基端部の外側の段部３９の少し室内側の起立壁３３の位置には、サッシ２の面内方向に延びる突出部４２が形成されている。この突出部４２は、サッシ２の面内方向に水平に帯状に延びる係止部４３と、この係止部４３の先端部からほぼ階段状に縦枠２１に近づく連結部４４とを備えている。連結部４４の先端部の起立壁３３と平行に室内側に延びる部分は、後述するように、下装飾部材１２の装飾部材１４のサッシ２の面内側の先端部と、縦枠２１との間に生じる隙間を閉塞する閉塞部４５となっている。この閉塞部４５の先端は、前記脚部３５の先端と同じ位置になるように設定されており、脚部３５の先端と同様に縦枠２１に当接されるようになっている。
【００２４】
一方、下装飾部材１２の装飾部材１４は、横断面形状が概略コ字状に形成されたものであって、室外方向に少し膨出された頂壁５１と、この頂壁５１の両端部から室内方向に鉛直に延びる側壁５２および側壁５３とを備えている。サッシ２の面内方向と反対側の側壁５２の長さの方が、サッシ２の面内方向側の側壁５３の長さより長く設定されている。側壁５２の中間部内面には、内方に向かって断面形状がく字状の帯状の係止部５４が形成され、先端部が室外側に斜めに屈曲されている。側壁５３の中間部内面には、装飾部材１４の内方に向かって水平に延び先端部が室外側に斜めに屈曲された係止部５５が形成されている。
【００２５】
そして、下装飾部材１２の装飾部材１４は、受け部材６に、室外側から押し込まれる。そうすると、装飾部材１４の係止部５４、５５がそれぞれ、受け部材６の拡張部３６、３７を弾性変形させて内方に移動させつつ、拡張部３６、３７の外側を通過して、受け部材６の段部３８、３９に係止部５４、５５の先端部が突き当てられて係止されるとともに、係止部５４、５５の水平部分がそれぞれ、受け部材６の係止部４１、４３に当接されて係止される。これにより、装飾部材１４が受け部材６に嵌合されて固定される。さらに、装飾部材１４は、サッシ２の面内方向と反対側に位置されたねじ孔１３からねじ（固定具）９２が挿通されて、ねじ９２が受け部材６の側壁３２に締め付けられて、受け部材６から装飾部材１４が外れるのを防止されている。
このように装飾部材１４が受け部材６に固定された時、後述するように、装飾部材１４の側壁５３の先端と縦枠２１との間には隙間が生じるが、この隙間は受け部材６の閉塞部４５によって塞がれている。
【００２６】
他方、パネル組立体３の部分においては、図４に示すように、サッシ２の縦枠２１の延長線上に、押出し成形等により形成されたアルミニウム等の形材からなる細長い受け部材（外壁用取付部材）７が取り付けられている。受け部材７は、底壁６１と、この底壁６１の幅方向の両端部から互いに対向して室外側に起立している起立壁６２、６３と、底壁６１から室内側に突出している複数個の脚部６４とを備えている。
【００２７】
起立壁６２は、パネル組立体３と反対側に形成され、起立壁６３は、パネル組立体３側に形成されている。この受け部材７は、脚部６４の先端が外壁１の外壁パネル９３に当接され、底壁６１に形成されたねじ孔にねじ（固定具）９４が挿通されてねじ９４が外壁パネル９３に締め付けられている。受け部材７の起立壁６２および起立壁６３の上端部にはそれぞれ、受け部材７の幅方向外側に膨出されて互いの間隔（幅方向の距離）が拡大された拡張部６６および拡張部６７が形成されている。
【００２８】
拡張部６６の基端部の外側の段部６８の少し室内側の起立壁６２の位置には、パネル組立体３と反対側に水平に帯板状に突出する係止部７１が形成されている。また、拡張部６７の基端部の外側の段部６９の少し室内側の起立壁６３の位置には、パネル組立体３方向に延びる係止部７２が形成されている。
【００２９】
そして、下装飾部材１２の装飾部材１４は、受け部材７に、室外側から押し込まれる。そうすると、装飾部材１４の係止部５４、５５がそれぞれ、受け部材７の拡張部６６、６７を弾性変形させて内方に移動させつつ、拡張部６６、６７の外側を通過して、受け部材７の段部６８、６９に係止部５４、５５の先端部が突き当てられて係止されるとともに、係止部５４、５５の水平部分がそれぞれ、受け部材７の係止部７１、７２に当接されて係止される。これにより、装飾部材１４が受け部材７に嵌合されて固定される。
このように装飾部材１４が受け部材７に固定された時、装飾部材１４の側壁５３の先端と外壁１との間の隙間には、パネル組立体３の端部が挿入されて、この隙間が塞がれている。
【００３０】
縦装飾部材４は、図５および図６に示すように、上下階のサッシ２、２の縦枠２１、２１にそれぞれ、受け部材６、６が取り付けられ、これらの受け部材６、６間の外壁１の部分に、受け部材７がこれらの受け部材６、６と間隔をおいて一列に並ぶように取り付けられている。そして、下装飾部材１２が上側のサッシ２の縦枠２１の上端から受け部材７の中間まで覆うように配置されるとともに、上装飾部材１１の受け部材７の中間から下側のサッシ２の縦枠２１の下端まで覆うように配置されている。これらの下装飾部材１２の装飾部材１４の下端と上装飾部材１１の装飾部材１４の上端とは突き合わされており、これにより下装飾部材１２と上装飾部材１１とにより縦方向に連続した直線状の縦装飾部材４が形成されている。
【００３１】
図３および図４に示すように、サッシ２の縦枠２１の見込み寸法Ｈ１は外壁１の見込み寸法Ｈ２より大きく、サッシ２の縦枠２１が外壁１より少し（例えば、５ｍｍ程度）室外側に突出している。しかし、この縦枠２１が外壁１より突出している分だけ、サッシ２の縦枠２１に取り付けられる受け部材６の見込み方向の寸法が、外壁１に取り付けられる受け部材７の見込み方向の寸法より小さく設定されている。このように、受け部材６および受け部材７でサッシ２の縦枠２１と外壁１の見込み方向の寸法が調節される。その結果、同一断面形状の形材からなる２つの装飾部材１４、１４を連続して一列に配置しても、段差を生じることなく、同じ外観の直線状の装飾部が形成される。
【００３２】
また、サッシ２の縦枠２１の見込み寸法Ｈ１と外壁１の見込み寸法Ｈ２との寸法の違いに加え、厚さ（高さ）寸法Ｈ３のパネル組立体３が装飾部材１４の側壁５３と外壁１との間に挿入されるので、同一断面形状の形材からなる装飾部材１４を受け部材６および受け部材７に取り付けると、装飾部材１４のサッシ２の面内側の側壁５３と縦枠２１との間、および側壁５３とパネル組立体３との間の両方に隙間が生じないようにするには、パネル組立体３の厚さ寸法を、縦枠２１の見込み寸法Ｈ１と外壁１の見込み寸法Ｈ２との寸法の違いに合わせて設定する必要がある。
【００３３】
しかし、通常、パネル組立体３の厚さ寸法は、任意に設定されるので、装飾部材１４のサッシ２の面内側の側壁５３と縦枠２１または側壁５３と外壁１との間に隙間ができる。この隙間は、パネル組立体３の厚さ寸法Ｈ３が、サッシ２の縦枠２１の見込み寸法Ｈ１と外壁１の見込み寸法Ｈ２との寸法の違いよりも大きいときは、図３に示すように、側壁５３と縦枠２１または側壁５３と外壁１との間に形成される。この隙間は、同図に示すように、受け部材６の閉塞部４５によって塞がれている。
【００３４】
他方、パネル組立体３の厚さ寸法Ｈ３が、サッシ２の縦枠２１の見込み寸法Ｈ１と外壁１の見込み寸法Ｈ２との寸法の違いよりも小さいときは、側壁５３とパネル組立体３との間に形成される。また、側壁５３と外壁１との間にパネル組立体３が挿入されないときは、側壁５３と外壁１との間に隙間が形成される。これらの場合には、受け部材７に、受け部材６の閉塞部４５と同様に、側壁３とパネル組立体３との間の隙間を閉塞する閉塞部、または側壁３と外壁１との間の隙間を閉塞する閉塞部を設けるようにする。
【００３５】
図１に示すように、左右の縦装飾部材４、４は、互いに点対象になるように設けられている。また、これらの左右の縦装飾部材４、４を取り付けるための受け材６および受け材７は、左右の縦枠２１、２１に左右対称に設けられる。
【００３６】
次に、パネル組立体３について説明する。
図６に示すように、このパネル組立体３は、パネル下（パネル）８１、パネル中（パネル）８２およびパネル上（パネル）８３が組み立てられて構成されている。これらのパネル下８１、パネル中８２およびパネル上８３はともに、押出し成形等により形成されたアルミニウム製の形材からなるものである。
【００３７】
パネル下８１は、図８に示すように、平板状の取付部１０１の下側に係合部１０２が形成されてなるものである。取付部１０１の上端部にはねじ孔１０３が形成されている。
【００３８】
パネル中８２は、図９に示すように、平板状の取付部１０４の下側に係合部１０２が形成され、この係合部１０２の下側に断面形状が円弧状の凹凸が連続して形成された凹凸部１０５が形成され、この凹凸部１０５の下側に係合部１０２に係合する係合部１０６が形成されている。取付部１０４の上端部にはねじ孔１０３が形成されている。
【００３９】
パネル上８３は、図１０に示すように、平板状の取付部１０７の下側に、パネル中８２の凹凸部１０５と同様の断面形状の凹凸部１０８が狭い幅で形成され、この凹凸部１０８の下側に係合部１０２に係合する係合部１０９が形成されている。取付部１０７の上端部にはねじ孔１０３が形成されている。
【００４０】
各パネルの係合部１０２は、図８および図９に示すように、下側から上側に向かって円弧状に延びる円弧部１１１と、この円弧部の上端部に円弧の内側に突出された突条部１１２と、円弧部１１１の下端部から上方に延びる連結部１１３と、この連結部１１３の上端部から突条部１１２と対向するように突出された突条部１１４とを備えている。
【００４１】
一方、この係合部１０２に係合する係合部１０６は、図９に示すように、下端部が表面方向に突出され、係合部１０２の突条部１１２に係合される突条部１２１と、この突条部１２１と間隔をおいて突条部１２１と反対方向（裏面方向）に突出され、係合部１０２の突条部１１４に係合される突条部１２２と、これらの突条部１２１と突条部１２２とを連結する連結部１２３とを備えている。
【００４２】
また、１０２に係合する係合部１０９は、図１０に示すように、上下方向に円弧状に延びる円弧部１２５と、この円弧部の表面方向に突出された下端部により構成され、係合部１０２の突条部１１２に係合される突条部１２６と、円弧部の上端部に突条部１２６と反対方向（裏面方向）に突出され、係合部１０２の突条部１１４に係合される突条部１２７とを備えている。
【００４３】
そして、このようなパネル下８１、パネル中８２およびパネル上８３に構成されるパネル組立体３は、次のようにして上下階のサッシ２、２間の外壁１に取り付けられている。
すなわち、図６に示すように、下の階のサッシ２の上枠２３の上に設けられた水切り２４を基準にしてパネル下８１が位置決めされ、パネル下８１のねじ孔１０３にねじ（固定具）９５が挿通されてねじ９５が外壁１の外壁パネル９３に締め付けられて、パネル下８１が係合部１０２を下側にして外壁１に取り付けられている。
【００４４】
このパネル下８１の上側には、パネル中８２が、その係合部１０６がパネル下８１の係合部１０２に係合されて連結されている。すなわち、パネル中８２の係合部１０６の突条部１２１が、パネル下８１の係合部１０２の円弧部１１１の内側に挿入されて、係合部１０２の突条部１２１に係合されているとともに、係合部１０６のもう一つの突条部１２２が係合部１０２のもう一つの突条部１１４に上側から係合されている。これらの２箇所の係合により、パネル下８１とパネル中８２とは、パネル下８１の円弧部１１１の表面とパネル中８２の凹凸部１０５の表面とが、同じ高さになり、連続する凹凸面の外観を形成するように位置決めされている。パネル中８２は、パネル下８１と同様に、ねじ９５により外壁１の外壁パネル９３に締め付けられて、外壁１に取り付けられている。
【００４５】
このパネル中８２の上側には、パネル上８３が、その係合部１０９がパネル中８２の係合部１０２に係合されて連結されている。すなわち、パネル上８３の係合部１０９の突条部１２６の先端面が、パネル中８２の係合部１０２の突条部１２１の先端面に係合されているとともに、係合部１０９のもう一つの突条部１２７が係合部１０２のもう一つの突条部１１４に上側から係合されている。これらに２箇所の係合により、パネル中８２とパネル上８３とは、パネル中８２の円弧部１１１の表面とパネル上８３の凹凸部１０８の表面とが、同じ高さになり、連続する凹凸面の外観を形成するように位置決めされている。パネル上８３は、パネル下８１と同様に、ねじ９５により取付部１０７が外壁１の外壁パネル９３に締め付けられて、外壁１に取り付けられている。取付部１０７は、上の階のサッシ２の下枠２５の下に設けられた水切り２６の内側に差し込まれている。
【００４６】
これらの下パネル８１、中パネル８２および上パネル８３は、同じ幅に設定されており、これらが組み立てられて平面視において方形のパネル組立体３が形成されている。このパネル組立体３の左右の端部はそれぞれ、図４に示すように、下装飾部材１２および上装飾部材１１の各装飾部材１４の側壁５３の先端と、外壁１との間の隙間から装飾部材１４内に挿入され、パネル組立体３の左右の端部が見えないようになっている。
【００４７】
次に、上の階のサッシ２の上枠２３および下の階のサッシ２の下枠２５に取り付けられている上部横装飾部材５Ａ、下部横装飾部材５Ｂについて説明する。なお、上部横装飾部材５Ａと下部横装飾部材５Ｂとは同じように構成されている。図５に示すように、上の階のサッシ２の上枠２３には、押出し成形等により形成されたアルミニウム等の形材からなる受け部材（取付部材）１３０が複数個、間隔をおいて、上枠２３に沿って取り付けられている。受け部材１３０は、断面形状が概略コ字状に形成されたものであって、底壁１３１と、この底壁１３１の幅方向の両端部から互いに対向して室外側に起立している起立壁１３２、１３３とを備えている。サッシ２の面内側に配置された短い起立壁１３２には、基端部の外側に係止部１３５が形成され、一方面内側と反対側に配置された長い起立壁１３３には、先端部の外側に係合部１３６が形成されている。受け部材１３０は、底壁１３１に形成されたねじ孔にねじ（固定具）９６が挿通されて、ねじ９６が上枠２３に締め付けられている。
【００４８】
一方、上部横装飾部材５Ａは、押出し成形等により形成されたアルミニウム等の形材からなる細長い部材である。この上部横装飾部材５Ａは、横断面形状が概略コ字状に形成されており、室外側の頂壁１４１と、この頂壁１４１の両端部から室内方向に鉛直に延びる側壁１４２および側壁１４３とを備えている。サッシ２の面内側の側壁１４２の先端部には、内側に折曲された係止部１４５が形成されており、この係止部１４５が取付作業の際に受け部材１３０の係止部１３５に係止される。一方、面内側と反対側に配置された起立壁１４３の中間部には、内側に突出する係合部１４６が形成されており、この係合部１４６が受け部材１３０の係合部１３６に係合されている。
【００４９】
なお、図示を省略するが、下の階のサッシ２の下枠２５にも、上の階のサッシ２の上枠２３と同様にして、下部横装飾部材５Ｂが取り付けられている。この場合、下部横装飾部材５Ｂは、上部横装飾部材５Ａと上下対称になるように取り付けられる。
【００５０】
次に、上の階のサッシ２の下枠２５および下の階のサッシ２の上枠２３に取り付けられているパネル用上部横装飾部材５Ｃおよびパネル用下部横装飾部材５Ｄについて説明する。なお、パネル用上部横装飾部材５Ｃとパネル用下部横装飾部材５Ｄとは同じように構成されている。
図６に示すように、パネル用上部横装飾部材５Ｃおよびパネル用下部横装飾部材５Ｄは、押出し成形等により形成されたアルミニウム等の形材からなる正面視において概略帯状のものであって、断面コ字状の取付部１５１と、この取付部１５１の開口側の一端部から断面形状が概略Ｌ字状に上下方向に延びている覆い部１５２とを備えている。
【００５１】
取付部１５１は、その底壁に形成されたねじ孔にねじ（固定具）９７が挿通されて、ねじ９７が下枠２５に締め付けられている。この取付部１５１の帯状の開口には、概略帯板状の蓋１５５が嵌合されて固定されており、これにより取付部１５１の開口が塞がれている。この蓋１５５により、ねじ９７が隠されて見えなくなるととともに、帯状の装飾が施される。
覆い部１５２は、サッシ２の下枠２５の下端部からパネル組立体３のパネル上８３の凹凸部１０８まで延びており、これにより水切り２６およびパネル組立体３の上端部が覆われる。したがって、下枠２５の下端部からパネル組立体３の凹凸部１０８までの間は、このパネル用上部横装飾部材５Ｃが横方向に帯状に見える外観となる。
【００５２】
下の階のサッシ２の上枠２３にも、上の階のサッシ２の下枠２５と同様にして、パネル用下部横装飾部材５Ｄが取り付けられている。この場合、パネル用下部横装飾部材５Ｄは、パネル用上部横装飾部材５Ｃと上下対称になるように取り付けられる。
【００５３】
次に、パネル組立体３、縦装飾部材４、４、上部横装飾部材５Ａ、下部横装飾部材５Ｂおよびパネル用上部横装飾部材５Ｃ、パネル用下部横装飾部材５Ｄ等の取付方法について説明する。
まず、図１１に示すように、上下階のサッシ２、２の左右の縦枠２１、２１にそれぞれ、受け部材６、６をねじ９１で固定する。
このとき、受け部材６の左右方向の位置決めは、図１２に示すように、例えば、受け部材６の脚部３４の側面を縦枠２１のサッシ２の面内方向と反対側の側面に当接することにより行う。また、受け部材６の上下方向の位置決めは、図１３に示すように、例えば、受け部材６の上端を上枠２３の水切り２４下端に合わせることにより行う。
【００５４】
次いで、図１４に示すように、上下階のサッシ２、２の間の外壁１に、受け部材７、７をねじ９４で固定する。
このとき、受け部材７の左右方向の位置決めは、図１５に示すように、例えば、受け部材７のサッシ２の面内方向と反対側の側面を、受け部材６の同じ側面に合わせることにより行う。また、受け部材７の上下方向の位置決めは、図１６に示すように、例えば、受け部材７の上端を上の階のサッシ２の下枠２５の水切り２６下端に合わせることにより行う。
【００５５】
次いで、以下のようにしてパネル組立体を上下階のサッシ２、２の間の外壁１上に組み付ける。
すなわち、図１７に示すように、パネル下８１の裏面のねじ孔１０３の周辺をコーキングした後、下の階のサッシ２の上枠２３の水切り２４に合わせてパネル下８１の上下方向の位置決めし、その後図１８に示すように、受け部材７、７の間にパネル下８１をねじ９５で固定する。固定後、ねじ９５の頭をコーキングする。
【００５６】
その後、図１９（ａ）に示すように、パネル中８２の裏面のねじ孔１０３の周辺をコーキングした後、パネル中８２の係合部１０６をパネル下８１の係合部１０２に係合させてから、図１９（ｂ）に示すように、パネル中８２をねじ９５で固定し、固定後、ねじ９５の頭をコーキングする。
【００５７】
その後、図２０に示すように、パネル上８３の裏面のねじ孔１０３の周辺をコーキングした後、パネル８３の上端部を上の階のサッシ２の下枠２５の水切り２６の内側に挿入してから、パネル上８３の係合部１０９をパネル中８２の係合部１０２に係合させ、その後図２１に示すように、パネル上８３をねじ９５で固定し、固定後、ねじ９５の頭をコーキングする。
なお、パネル下８１、パネル中８２およびパネル上８３の左右の位置決めは、左右に取り付けられている受け部材７、７を目安に行うことにより、施工誤差を少なくすることができる。
【００５８】
次いで、図２２に示すように、受け部材６、７に上装飾部材１１および下装飾部材１２を嵌合する。
すなわち、まず、下側の左右の受け部材６、７にそれぞれ、上装飾部材１１および下装飾部材１２を嵌合する。このとき、上装飾部材１１および下装飾部材１２の上下方向の位置決めは、上装飾部材１１および下装飾部材１２の下端を下の階のサッシ２の下枠２５の水切り２６に合わせることにより行う。また、各上装飾部材１１および下装飾部材１２は、ねじ孔１３をサッシ２の面内方向と反対側に向ける。
【００５９】
その後、上側の左右の受け部材６、７にそれぞれ、下装飾部材１２および上装飾部材１１を嵌合する。このとき、各下装飾部材１２および上装飾部材１１は、ねじ孔１３をサッシ２の面内方向と反対側に向ける。また、各下装飾部材１２および上装飾部材１１の下端はそれぞれ、上装飾部材１１および下装飾部材１２の下端に突き合わせる。
このようにすると、図２３に示すように、これらの上装飾部材１１と下装飾部材１２との突合せ部１９が、パネル組立体３の上下方向中間部に位置されて、これらの上装飾部材１１と下装飾部材１２が直線状に連続的に配置された縦装飾部材４が形成される。その結果、上下階のサッシ２、２の縦枠２１が覆われて見えなくなるとともに、上下階のサッシ２、２が縦方向に連続した印象を与え、外壁の美観が向上する。
【００６０】
次いで、図２３に示すように、各上装飾部材１１および下装飾部材１２をねじ９２により固定して、外れ止めを行う。
【００６１】
次いで、図２４に示すように、上の階のサッシ２の上枠２３および下の階のサッシ２の下枠２５にそれぞれ、複数個（この例では３個）の受け部材１３０を、間隔をおいて一直線に並ぶようにして、ねじ９６で固定する。この場合、下枠２５の受け部材１３０は、上枠２３の受け部材１３０と上下対称になるように固定される。
【００６２】
次いで、図２５に示すように、上部横装飾部材５Ａおよび下部横装飾部材５Ｂをそれぞれ、上枠２３および下枠２６の各受け部材１３０に嵌合する。図２６に示すように、この嵌合作業は、受け部材１３０の係止部１３５に上部横装飾部材５Ａ（下部横装飾部材５Ｂ）の係止部１４５を引っ掛けてから、受け部材１３０の係合部１３６に上部横装飾部材５Ａ（下部横装飾部材５Ｂ）の係合部１４６を係合させて行う。なお、図２６（ａ）は上部横装飾部材５Ａの場合、図２６（ｂ）は下部横装飾部材５Ｂの場合をそれぞれ示している。
次いで、図２７に示すように、上部横装飾部材５Ａおよび下部横装飾部材５Ｂをそれぞれねじ９８により固定して、外れ止めを行う。ねじ９８はそれぞれ、上部横装飾部材５Ａおよび下部横装飾部材５Ｂの各サッシ２の面内方向と反対側に取り付けられる。
【００６３】
次いで、図２８に示すように、上の階のサッシ２の下枠２５および下の階のサッシ２の上枠２３にそれぞれ、パネル用上部横装飾部材５Ｃおよびパネル用下部横装飾部材５Ｄをねじ９７により固定し、その後図２９に示すように、パネル用上部横装飾部材５Ｃおよびパネル用下部横装飾部材５Ｄの各取付部１５１の帯状の開口にそれぞれ、蓋１５５、１５５を嵌合して固定する。
【００６４】
このような外壁構造にあっては、パネル下８１、パネル中８２およびパネル上８３を組み立ててパネル組立体３を構成するので、これらのパネルの組み合わせを変えて、種々の大きさのパネル組立体を構成することができるため、覆うべき外壁１の大きさに合わせて容易に対応することができる。
また、パネル下８１、パネル中８２およびパネル上８３の大きさは小さいので、これらのパネルの重量を軽いため、これらのパネルの取り扱いが容易であるとともに、型代を低額に抑えることができる。
【００６５】
さらに、パネル下８１とパネル中８２とは、パネル中８２の係合部１０６の突条部１２１が、パネル下８１の係合部１０２の突条部１２１に係合されているとともに、係合部１０６のもう一つの突条部１２２が係合部１０２のもう一つの突条部１１４に上側から係合されることにより、連結されている。また、パネル中８２とパネル上８３とは、パネル上８３の係合部１０９の突条部１２６の先端面が、パネル中８２の係合部１０２の突条部１２１の先端面に係合されているとともに、係合部１０９のもう一つの突条部１２７が係合部１０２のもう一つの突条部１１４に上側から係合されることにより、連結されている。このように、各パネルに連結方向に間隔をおいて形成した２つの突条部を係合させることにより、各パネル同士を連結するようにしたので、各パネルの位置決めを容易に行うことができる。また、各パネルを外壁１にねじ止めするときに、各パネルが共回りして回転してしまうのを、２つの突条部すなわち２箇所で規制するので、各パネルの位置がずれるのを防止することができる。
【００６６】
また、パネル組立体３は、下端が下の階のサッシ２の上枠２３の上端近傍に位置するとともに、上端が上の階のサッシ２の水切り２６の内側に位置するように取り付けられているので、上の階のサッシ２と下の階のサッシ２との間の殆どに亘ってパネル組立体３が設けられている、さらに、上の階のサッシ２の下枠２５に、下枠２５の下端部からパネル組立体３の上端部を覆うパネル用上部横装飾部材５Ｃが取り付けられているとともに、下の階のサッシ２の上枠２３に、上枠２３の上端部からパネル組立体３の下端部を覆うパネル用下部横装飾部材５Ｄが取り付けられている。したがって、上の階のサッシ２の下枠２５とパネル組立体３の上端部との間、および下の階のサッシ２の上枠２３とパネル組立体３の下端部との間の複雑な形状の部分がそれぞれ、パネル用上部横装飾部材５Ｃおよびパネル用下部横装飾部材５Ｄにより覆われるので、この部分の外観がすっきりとしたものとなるため、美観を高めることができる。
【００６７】
また、パネル組立体３は、左右の端部がそれぞれ、左右の各縦装飾部材４、４の内側に位置するように設けられているので、パネル組立体３の両端部が左右の縦装飾部材４、４によって隠れる。このため、左右の縦装飾部材４、４に亘ってパネル組立体３の延在する外観となるので、左右の縦装飾部材４、４およびパネル組立体３による外観が際立つため、美観を高めることができる。
さらに、パネル組立体３の凹凸部の隙間に、パネル組立体３の両端部から塵等が進入するのを防止することができる。
【００６８】
また、上の階のサッシ２の上枠２３に、この上枠２３を覆う上部横装飾部材５Ａが取り付けられているとともに、下の階のサッシの下枠２５に、この下枠２５を覆う下部横装飾部材５Ｂが取り付けられているので、左右の縦装飾部材４、４の間に、横方向に延びる上部横装飾部材５Ａ、下部横装飾部材５Ｂが設けられるため、縦装飾部材４、４と相まって際立った外観となるので、美観を高めることができる。
【００６９】
また、パネル下８１とパネル中８２との連結、およびパネル中８２とパネル上８３との連結に際しては、各パネルの平板状の取付部１０１、１０４が凹凸部の裏面（外壁１側）になるように配置されるので、これらの取付部１０１、１０４が隠れるとともに、パネル組立体３の表面側は凹凸が連続する形状にされているため、パネル組立体３の美しい外観となっている。なお、パネル上８３の取付部１０７は、上側のパネル用上部横装飾部材５Ｃによって覆われている。
【００７０】
また、縦装飾部材４、パネル組立体３、上部横装飾部材５Ａおよび下部横装飾部材５Ｂ、パネル用上部横装飾部材５Ｃおよびパネル用下部横装飾部材５Ｄを別個に独立して取り付けられるようにしたので、これらを適宜取り付けることができるので、状況や好み等に合わせて、種々の組み合わせの装飾を施すことができる。例えば、上部横装飾部材５Ａおよび下部横装飾部材５Ｂを取り付けなかったり、パネル組立体３を取り付けなかったり、パネル用上部横装飾部材５Ｃおよびパネル用下部横装飾部材５Ｄを取り付けなかったり、またはパネル組立体３、パネル用上部横装飾部材５Ｃおよびパネル用下部横装飾部材５Ｄを取り付けなかったりすることができる。
【００７１】
また、サッシ２、２の縦枠２１、２１および外壁１にそれぞれ、互いに見込み方向の寸法の異なる受け部材６および受け部材７を取り付け、これらの受け部材６および受け部材７に、同一断面形状の形材からなる２つの装飾部材１４（上装飾部材１１および下装飾部材１２）を縦方向に連続して一列に配置した。したがって、サッシ２の縦枠２１と外壁１との見込み寸法の違いを、受け部材６および受け部材７で調節することができるので、押出し成形等により製造される形材からなる装飾部材１４を、見込み方向において高低差に合わせて切断加工することなくそのまま、サッシ部および外壁部の装飾部材１４として用いることができるため、装飾部材１４の製造コストを低減することができる。また、同一断面形状の形材からなる２つの装飾部材１４をそのまま連続して一列に配置するので、同じ外観の装飾部材１４、１４を連続的に配置することができるため、縦装飾部材４による美観を高めることができる。
【００７２】
また、受け部材６または受け部材７に閉塞部４５等を設けるので、縦装飾部材４を隙間のない連続した外観とすることができ、縦装飾部材による美観をさらに高めることができる。
さらに、受け部材６の閉塞部４５およびこの閉塞部４５と係止部４３とを連結する連結部４４とは、受け部材６の剛性を高めるリブ的な役割も果たしている。
【００７３】
また、装飾部材１４の脱落防止のためのねじ９２をサッシ２の面内側と反対側の側面にねじ止めしたので、室内からサッシ２の窓を通して室外を見たときに、ねじ９２が見えないため、縦装飾部材４による美観が損なわれることがない。
同様に、上部横装飾部材５Ａ、下部横装飾部材５Ｂの脱落防止のためのねじ９８をサッシ２の面内側と反対側の側面にねじ止めしたので、室内からサッシ２の窓を通して室外を見たときに、ねじ９８が見えないため、上部横装飾部材５Ａ、下部横装飾部材５Ｂによる美観が損なわれることがない。
【００７４】
また、上装飾部材１１と下装飾部材１２との突合せ部１９を受け部材６と受け部材７との間に位置させずに、受け部材７の中間部に位置するように配置したので、縦装飾部材４の外観の連続性を保つことができ、縦装飾部材４の美観を一層高めることができる。
【００７５】
また、装飾部材１４（上装飾部材１１および下装飾部材１２）の長さを上下階のサッシ２、２の間に収まる程度に設定したので、足場を組んで上装飾部材１１および下装飾部材１２を取り付ける際に、足場とサッシ２または外壁１との間でこれらの上装飾部材１１および下装飾部材１２を容易に取り回すことができる。さらに、長さの短い装飾部材１４を複数個組み合わせて縦装飾部材４を構成するようにすると、種々の長さの縦装飾部材を形成することができる。例えば、サッシ２、２間に縦装飾部材を形成することもできるし、または庇下あるいは土台まで縦装飾部材を形成することができる。さらには、装飾部材１４の端部を斜めに切断して使用することにより、斜めになっている庇下まで縦装飾部材を形成することができる。
【００７６】
なお、上記実施の形態では、パネル組立体３を、パネル下８１、パネル中８２およびパネル上８３により構成したが、この他に、例えば、図３０に示すように、パネル中８２とは凹凸部のみ異なり、凹凸部の長さが短い凹凸部１６１を備えたパネル中（パネル）８４を用意すれば、これらの４つのパネルを適宜個数、組み合わせることにより、さらに種々の長さのパネル組立体を構成することができ、これにより覆うべき外壁１の長さに合わせて対応することが可能になる。
【００７７】
また、上記実施の形態では、パネル組立体３を用いたが、これに代えて、例えば、図３１に示すようなパネル組立体１７０を用いることもできる。
このパネル組立体１７０では、これを構成する各パネル１７１の凹凸部１７２が方形状をしている。また、パネル１７１の上端部および下端部の係合部１７３、１７４がそれぞれ次のように形成されている。すなわち、上端部の係合部１７３は、Ｌ字状の連結部１８１の各端部からそれぞれ突条部１８２、１８３が互いに間隔をおいてかつ直交する方向に向かって突出されている。一方、下端部の係合部１７４は、縦方向に延びる連結部１８４と、この連結部１８４の下端から裏面方向に鉤状に突出している突条部１８５と、連結部１８４上端から裏面方向に突出している突条部１８６とからなる。上端部の係合部１７３の上側には、平板状の取付部１７５が形成されている。パネル１７１は、押出し成形等により形成されたアルミニウム製の形材からなるものである。
【００７８】
そして、各パネルは１７１は、パネル１７１の上側に、他のパネル１７１が、上端部および下端部の係合部１７３、１７４が互いに係合されて連結されている。すなわち、上側のパネル１７１の下端部の係合部１７４が、下側のパネル１７１の上端部の係合部１７３の突条部１８２、１８３の間に挿入されて、突条部１８５が突条部１８２に上側から係合されているとともに、突条部１８６がもう一つの上側の突条部１８３に下側から係合されている。これらの２箇所の係合により、上側および下側の各パネル１７１、１７１には、方形の凹凸が連続するように連結される。
【００７９】
また、上記実施の形態では、パネル下８１、パネル中８２およびパネル上８３を縦方向に連結したパネル組立体３を形成したが、これに代えて、パネルを横方向に連結してパネル組立体を形成するようにすることもできる。
【００８０】
また、上記実施の形態では、装飾部材１４を２つ用いたが、これに代えて、この装飾部材１４を３つ以上用いて縦装飾部材４を構成することもできる。
【００８１】
また、上記実施の形態では、上下２階のサッシ２、２の間に本発明を適用したが、３つ以上のサッシ２が設けられている外壁にも本発明を適用することができる。さらには、サッシ２の上の軒先やあるいはサッシの下の土台等にまで、縦装飾部材４が達するようにすることもできる。
【００８２】
【発明の効果】
以上説明したように、請求項１に記載の外壁構造によれば、パネルの組み合わせを変えることにより、種々の大きさのパネル組立体を構成することができるため、覆うべき外壁１の大きさに合わせて容易に対応することができる。また、各パネルの大きさは小さいので、各パネルの重量が軽く、各パネルの取り扱いが容易であるとともに、押出し成形等による形材からなるパネルを用いる場合には、各パネルの型代を低額に抑えることができる。
【００８３】
また、請求項２に記載の外壁構造によれば、請求項１に記載の発明と同様の作用効果を奏することができるとともに、各パネルの少なくもと２つの突条部を係合させることにより各パネル同士を連結するようにしたので、各パネルの位置決めを容易に行うことができる。
【００８４】
また、請求項３に記載の外壁構造によれば、請求項１または請求項２に記載の発明と同様の作用効果を奏することができるとともに、上のサッシと下のサッシの間の殆どに亘ってパネル組立体が設けられるので、上下のサッシ間がすっきりした印象を与えるため、パネル組立体による美観を高めることができる。
【００８５】
また、請求項４に記載の外壁構造によれば、請求項１乃至請求項３のいずれかに記載の発明と同様の作用効果を奏することができるとともに、パネル組立体の両端部が左右の縦装飾部材によって隠れるので、左右の縦装飾部材に亘ってパネル組立体の延在する外観となり、左右の縦装飾部材およびパネル組立体による外観が際立つため、美観を高めることができる。
【００８６】
また、請求項５に記載の外壁構造によれば、請求項１乃至請求項４のいずれかに記載の発明と同様の作用効果を奏することができるとともに、パネル組立体の上側のサッシの下枠とパネル組立体の上端部との間、およびパネル組立体の下側のサッシの上枠とパネル組立体の下端部との間の複雑な形状の部分の外観がすっきりとしたものとなるため、美観を高めることができる。
【００８７】
また、請求項６に記載の外壁構造によれば、請求項１乃至請求項５のいずれかに記載の発明と同様の作用効果を奏することができるとともに、左右の縦装飾部材の間に、横方向に延びる上部横装飾部材および下部横装飾部材が設けられるので、縦装飾部材と相まって際立った外観となり、美観を高めることができる。
【図面の簡単な説明】
【図１】本発明の実施の形態に係る外壁構造を示す正面図である。
【図２】図１のＡ−Ａ線に沿う拡大断面図である。
【図３】図１のＢ−Ｂ線に沿う拡大断面図である。
【図４】図１のＣ−Ｃ線に沿う拡大断面図である。
【図５】図１のＤ−Ｄ線に沿う拡大断面図である。
【図６】図１のＥ−Ｅ線に沿う拡大断面図である。
【図７】（ａ）は装飾部材を構成する上装飾部材を示す斜視図であり、（ｂ）は下装飾部材を示す斜視図である。
【図８】パネル組立体を構成するパネル下を示す図であって、（ａ）は正面図、（ｂ）は側面図である。
【図９】パネル組立体を構成するパネル中を示す図であって、（ａ）は正面図、（ｂ）は側面図である。
【図１０】パネル組立体を構成するパネル上を示す図であって、（ａ）は正面図、（ｂ）は側面図である。
【図１１】受け部材の取付方法を説明するための斜視図である。
【図１２】受け部材の左右方向の位置決め方法を説明するための横断面図である。
【図１３】受け部材の上下方向の位置決め方法を説明するための縦断面図である。
【図１４】受け部材の取付方法を説明するための斜視図である。
【図１５】受け部材の左右方向の位置決め方法を説明するための正面図である。
【図１６】受け部材の上下方向の位置決め方法を説明するための縦断面図である。
【図１７】パネル下の取付方法を説明するための縦断面図である。
【図１８】パネル下の取付方法を説明するための斜視図である。
【図１９】パネル中の取付方法を説明するための縦断面図である。
【図２０】パネル上の取付方法を説明するための縦断面図である。
【図２１】パネル上の取付方法を説明するための縦断面図である。
【図２２】装飾部材の取付方法を説明するための斜視図である。
【図２３】装飾部材の取付方法を説明するための斜視図である。
【図２４】受け部材の取付方法を説明するための斜視図である。
【図２５】上部横装飾部材および下部横装飾部材の取付方法を説明するための斜視図である。
【図２６】（ａ）は上部横装飾部材の嵌合方法を説明するための断面図であり、（ｂ）は下部横装飾部材の嵌合方法を説明するための断面図である。
【図２７】上部横装飾部材および下部横装飾部材の取付方法を説明するための斜視図である。
【図２８】パネル用上部横装飾部材およびパネル用下部横装飾部材の取付方法を説明するための斜視図である。
【図２９】蓋の取付方法を説明するための斜視図である。
【図３０】パネル組立体を構成する他のパネルの例を示す図であって、（ａ）は正面図、（ｂ）は側面図である。
【図３１】パネル組立体の他の例を示す側面図である。
【符号の説明】
１　　外壁
２　　サッシ
３、１７０　　パネル組立体
４　　縦装飾部材
５Ａ　　上部横装飾部材
５Ｂ　　下部横装飾部材
５Ｃ　　パネル用上部横装飾部材
５Ｄ　　パネル用下部横装飾部材
６　　受け部材（縦枠用取付部材）
７　　受け部材（外壁用取付部材）
１１　　上装飾部材
１２　　下装飾部材
１４　　装飾部材
２１　　縦枠
２３　　上枠
２５　　下枠
２６　　水切り
４５　　閉塞部
８１　　パネル下（パネル）
８２　　パネル中（パネル）
８３　　パネル上（パネル）
１０２、１０６、１０９　　係合部
１１２、１１４、１２１、１２２、１２６、１２７　　突条部
１７１　　パネル
【図１】
2004019293.tif 000003
【図２】
2004019293.tif 000004
【図３】
2004019293.tif 000005
【図４】
2004019293.tif 000006
【図５】
2004019293.tif 000007
【図６】
2004019293.tif 000008
【図７】
2004019293.tif 000009
【図８】
2004019293.tif 000010
【図９】
2004019293.tif 000011
【図１０】
2004019293.tif 000012
【図１１】
2004019293.tif 000013
【図１２】
2004019293.tif 000014
【図１３】
2004019293.tif 000015
【図１４】
2004019293.tif 000016
【図１５】
2004019293.tif 000017
【図１６】
2004019293.tif 000018
【図１７】
2004019293.tif 000019
【図１８】
2004019293.tif 000020
【図１９】
2004019293.tif 000021
【図２０】
2004019293.tif 000022
【図２１】
2004019293.tif 000023
【図２２】
2004019293.tif 000024
【図２３】
2004019293.tif 000025
【図２４】
2004019293.tif 000026
【図２５】
2004019293.tif 000027
【図２６】
2004019293.tif 000028
【図２７】
2004019293.tif 000029
【図２８】
2004019293.tif 000030
【図２９】
2004019293.tif 000031
【図３０】
2004019293.tif 000032
【図３１】
2004019293.tif 000033